(57)【要約】【課題】  狭いスペースでも設置することができ、かつ、製造コストを抑えることができる両面表示型のプロジェクタを提供すること。【解決手段】  光路分岐部材１４がプロジェクタ本体１２からの投射光ＩＬを互いに一部重複する２光路の投射光ＩＬ１，ＩＬ２に分岐するので、各透過型スクリーン１６Ａ，１６Ｂに投射光ＩＬ１，ＩＬ２を投射するために要する空間を比較的狭くすることができる。よって、プロジェクタ１０全体に対して両透過型スクリーン１６Ａ，１６Ｂの占める割合を大きくすることができる。この際、各透過型スクリーン１６Ａ，１６Ｂごとに個別にプロジェクタ本体１２を設ける必要がないので、プロジェクタ１０の製造コストを抑えることができる。【選択図】  図１
2006301244.tif 000002
【特許請求の範囲】
【請求項１】
光源から射出された照明光を変調する光変調部と、当該光変調部によって変調された変調光を投射光として投射する投射光学系とを有するプロジェクタ本体と、
前記プロジェクタ本体からの投射光を互いに一部重複する２光路に分岐する光路分岐手段と、
前記光路分岐手段で分岐された投射光がそれぞれ入射する背面投射型の第１及び第２のスクリーンと、
を備えるプロジェクタ。
【請求項２】
前記光路分岐手段は、前記プロジェクタ本体に対してそれぞれ傾いた状態でＸ字状に互いに交差して配置される一対のミラーであり、前記第１及び第２のスクリーンは、前記一対のミラーを挟んで互いに対向して略平行に配置されることを特徴とする請求項１記載のプロジェクタ。
【請求項３】
前記一対のミラーは、ハーフミラーであることを特徴とする請求項２記載のプロジェクタ。
【請求項４】
前記プロジェクタ本体は、前記光変調部と前記投射光学系とをそれぞれ有するとともに互いに対向する第１及び第２のプロジェクタユニットを含み、前記一対のミラーは、前記第１及び第２のプロジェクタユニットに挟まれるように配置されるダイクロイックミラーであることを特徴とする請求項２記載のプロジェクタ。
【請求項５】
前記光路分岐手段は、前記プロジェクタ本体に対してそれぞれ傾いた状態で対向するとともに当該プロジェクタ本体から離間するに従って間隔が互いに狭くなるようにハ字状に配置される一対の平板状反射部材を有し、前記第１及び第２のスクリーンは、前記一対の平板状反射部を挟んで互いに対向して略平行に配置されることを特徴とする請求項１記載のプロジェクタ。
【請求項６】
前記一対の平板状反射部材は、それぞれ反射型偏光板であり、前記光路分岐手段は、前記一対の平板状反射部材の一方で反射された像光が他方を通過する際に偏光状態を変更する偏光状態調節部材をさらに有することを特徴とする請求項５記載のプロジェクタ。
【請求項７】
前記第１及び第２のスクリーンに投影される投射光の画像に応じて前記第１及び第２のスクリーンの正面側にそれぞれ配置された第１及び第２のスピーカを駆動する音声駆動回路をさらに備えることを特徴とする請求項１から請求項６のいずれか一項記載のプロジェクタ。
【請求項８】
前記第１及び第２のスピーカは、前記第１及び第２のスクリーンから離れた視聴位置に配置され、前記音声駆動回路によって有線又は無線で駆動されることを特徴とする請求項７記載のプロジェクタ。
【発明の詳細な説明】
【技術分野】
【０００１】
本発明は、両面表示型のテレビ等に応用されるプロジェクタに関し、特に互いに背を向けた一対のスクリーンに画像を投射することによって両面表示を可能にするプロジェクタに関する。
【背景技術】
【０００２】
投影レンズからの画像光をハーフミラーで分割し、分割後の一方の画像光を第１のリアスクリーンに導き、他方の画像光を全反射ミラーを介して第２のリアスクリーンに導くマルチ画面プロジェクションモニタが存在する（特許文献１参照）。
【０００３】
また、光源光を分岐する偏光ビームスプリッタと、偏光ビームスプリッタの射出側に設けた２つの空間光変調素子と、これら空間光変調素子の像をそれぞれ投射する２つの投射レンズとを備える投射装置も存在する（特許文献２参照）。
【特許文献１】特開平６−１８１５５８号公報
【特許文献２】特開平９−１８５０２９号公報
【発明の開示】
【発明が解決しようとする課題】
【０００４】
しかし、前者のようなマルチ画面プロジェクションモニタは、リアスクリーンのサイズに比較してケースすなわち装置全体のサイズが極めて大きくなり、テレビ等の用途に適さない。
【０００５】
また、後者のような光源光分岐型の投射装置では、空間光変調素子、投射レンズ等をそれぞれ２つ設ける必要があり、不可避的に製造コストが増大する。
【０００６】
そこで、本発明は、狭いスペースでも設置することができ、かつ、製造コストを抑えることができる両面表示型のプロジェクタを提供することを目的とする。
【課題を解決するための手段】
【０００７】
上記課題を解決するため、本発明に係るプロジェクタは、（ａ）光源から射出された照明光を変調する光変調部と、当該光変調部によって変調された変調光を投射光として投射する投射光学系とを有するプロジェクタ本体と、（ｂ）プロジェクタ本体からの投射光を互いに一部重複する２光路に分岐する光路分岐手段と、（ｃ）光路分岐手段で分岐された投射光がそれぞれ入射する背面投射型の第１及び第２のスクリーンとを備える。
【０００８】
上記プロジェクタでは、光路分岐手段がプロジェクタ本体からの投射光を互いに一部重複する２光路に分岐するので、第１及び第２のスクリーンに投射光を投射するために要する空間を比較的狭くすることができる。よって、装置全体に対して第１及び第２のスクリーンの占める割合を大きくすることができ、両面表示型のテレビ等への応用が容易であるプロジェクタを提供することができる。また、第１及び第２のスクリーンごとに個別にプロジェクタ本体を設ける必要がないので、プロジェクタの製造コストを抑えることができる。
【０００９】
本発明の具体的観点では、上記プロジェクタにおいて、光路分岐手段が、プロジェクタ本体に対してそれぞれ傾いた状態でＸ字状に互いに交差して配置される一対のミラーであり、第１及び第２のスクリーンが、一対のミラーを挟んで互いに対向して略平行に配置される。この場合、分岐用の一対のミラーを効率良く第１及び第２のスクリーンの間に収めることができる。
【００１０】
本発明の別の具体的観点では、一対のミラーがハーフミラーである。この場合、第１及び第２のスクリーンにムラのない一様な画像を投射し易くなる。
【００１１】
本発明の別の具体的観点では、プロジェクタ本体が、光変調部と投射光学系とをそれぞれ有するとともに互いに対向する第１及び第２のプロジェクタユニットを含み、一対のミラーが、第１及び第２のプロジェクタユニットに挟まれるように配置されるダイクロイックミラーである。この場合、ダイクロイックミラーの波長特性の選択によって第１及び第２のプロジェクタユニットからの投射光を無駄なく利用してカラー画像を投射することができる。
【００１２】
本発明の別の具体的観点では、光路分岐手段が、プロジェクタ本体に対してそれぞれ傾いた状態で対向するとともに当該プロジェクタ本体から離間するに従って間隔が互いに狭くなるようにハ字状に配置される一対の平板状反射部材を有し、第１及び第２のスクリーンが、一対の平板状反射部を挟んで互いに対向して略平行に配置される。この場合、プロジェクタ本体からの投射光を一対の平板状反射部材によって比較的省スペースで反対方向に導いて、第１及び第２のスクリーンにそれぞれ入射させることができる。
【００１３】
本発明の別の具体的観点では、一対の平板状反射部材が、それぞれ反射型偏光板であり、光路分岐手段が、一対の平板状反射部材の一方で反射された像光が他方を通過する際に偏光状態を変更する偏光状態調節部材をさらに有する。この場合、投射光を第１及び第２のスクリーンにそれぞれロスなく投射することができる。
【００１４】
本発明の別の具体的観点では、第１及び第２のスクリーンに投影される投射光の画像に応じて第１及び第２のスクリーンの正面側にそれぞれ配置された第１及び第２のスピーカを駆動する音声駆動回路をさらに備える。この場合、第１及び第２のスクリーンを鑑賞する各ユーザは、スクリーンごとに設けた個別のスピーカからの音声を聞くことができる。
【００１５】
本発明の別の具体的観点では、第１及び第２のスピーカが、第１及び第２のスクリーンから離れた視聴位置に配置され、音声駆動回路によって有線又は無線で駆動される。この場合、ユーザの視聴位置に応じた音声の提供が可能になる。
【発明を実施するための最良の形態】
【００１６】
〔第１実施形態〕
図１は、本発明の第１実施形態に係るプロジェクタを上から見た平面図である。このプロジェクタ１０は、動画や静止画を前後２方向に表示する両面表示型のテレビであり、プロジェクタ本体１２と、光路分岐部材１４と、第１及び第２の透過型スクリーン１６Ａ，１６Ｂと、第１及び第２のスピーカユニット１８Ａ，１８Ｂとを備える。
【００１７】
プロジェクタ本体１２は、後に詳述するが、光源から射出された照明光を変調する光変調部３５と、当該光変調部３５によって変調された変調光を投射する投射レンズ３８とを有する。
【００１８】
光路分岐部材１４は、プロジェクタ本体１２に対向して配置された光路分岐手段であり、プロジェクタ本体１２に対してそれぞれ傾いた状態でＸ字状に交差して配置される一対のミラー１４Ａ，１４Ｂを有する。各ミラー１４Ａ，１４Ｂは、ハーフミラーであり、プロジェクタ本体１２からの投射光を互いに一部重複する２光路に分岐して、一対の透過型スクリーン１６Ａ，１６Ｂに個別に導く。
【００１９】
第１及び第２の透過型スクリーン１６Ａ，１６Ｂは、筐体１１の対向する２側面に取り付けられて固定されている。これにより、両透過型スクリーン１６Ａ，１６Ｂは、一対のミラー１４Ａ，１４Ｂからなる光路分岐部材１４を挟んで互いに対向して略平行に配置される。
【００２０】
第１及び第２のスピーカユニット１８Ａ，１８Ｂは、第１及び第２の透過型スクリーン１６Ａ，１６Ｂに対応してそれぞれ配置されている。すなわち、各スピーカユニット１８Ａ，１８Ｂは、第１及び第２の透過型スクリーン１６Ａ，１６Ｂの正面側において各透過型スクリーン１６Ａ，１６Ｂから離れた視聴位置（例えばユーザの手元）に配置されており、図示を省略する音声回路によって有線又は無線で駆動され、投射画像に対応する音声を出力する。
【００２１】
プロジェクタ本体１２から射出された投射光ＩＬは、光路分岐部材１４を介して一対の投射光ＩＬ１，ＩＬ２に分岐され、透過型スクリーン１６Ａ，１６Ｂにそれぞれ投射される。また、透過型スクリーン１６Ａ，１６Ｂから射出された観察光ＯＬ１，ＯＬ２は、各透過型スクリーン１６Ａ，１６Ｂに対面して着座等しているユーザすなわち視聴者の目に入射する。
【００２２】
図２は、図１に示すプロジェクタ１０の内部回路構造等を具体的に説明するブロック図である。
【００２３】
まず、プロジェクタ本体１２は、光源光を発生する光源装置３１と、ダイクロイックミラー（不図示）等からなり光源装置３１からの光源光をＲＧＢの３色に分割する色分離光学系３３と、色分離光学系３３から射出された各色の照明光によってそれぞれ照明される３つの液晶ライトバルブ３５ａ，３５ｂ，３５ｃを有する光変調部３５と、光変調部３５からの各色の像光を合成するクロスダイクロイックプリズム３７と、クロスダイクロイックプリズム３７を経た像光を透過型スクリーン１６Ａ，１６Ｂに投射するための投射光学系である投射レンズ３８とを備える。
【００２４】
次に、内蔵回路５０は、テレビ受信機５１と、画像処理回路５２と、パネル駆動部５３と、第１及び第２の音声回路５４Ａ，５４Ｂと、第１及び第２の無線送信器５５Ａ，５５Ｂとを備える。
【００２５】
ここで、テレビ受信機５１は、図示を省略するアンテナや有線ネットワーク用の入力端子等を介してテレビ信号を受け取るとともに、このテレビ信号を内部処理に適した映像信号および音声信号に復調する。画像処理回路５２は、復調された映像信号に所望の処理を施すことができる。例えば透過型スクリーン１６Ａ，１６Ｂに投影する画像の倍率を調整したり、投影画像の歪み補正や台形補正を行うことができる。パネル駆動部５３は、画像処理回路５２で処理された映像信号を、各液晶ライトバルブ３５ａ，３５ｂ，３５ｃを構成する各液晶パネルの駆動に適する駆動信号に変換し、各液晶パネルに所望の表示動作を行わせる。テレビ受信機５１に接続された第１の音声回路５４Ａは、テレビ受信機５１で復調された音声信号に対して第１のスピーカユニット１８Ａ等の駆動に適する処理を施すための音声駆動回路であり、第２の音声回路５４Ｂは、テレビ受信機５１で復調された音声信号に対して第２のスピーカユニット１８Ｂ等の駆動に適する処理を施すための音声駆動回路である。なお、第１及び第２の音声回路５４Ａ，５４Ｂには、ヘッドホン７１Ａ，７１Ｂをそれぞれ接続することができるようになっている。第１の音声回路５４Ａの後段に設けた第１の無線送信機５５Ａは、第１の音声回路５４Ａの出力を第１の周波数帯域の無線信号にして第１のスピーカユニット１８Ａ側に送信し、第２の音声回路５４Ｂの後段に設けた第２の無線送信機５５Ａは、第２の音声回路５４Ｂの出力を第２の周波数帯域の無線信号にして第２のスピーカユニット１８Ｂ側に送信する。
【００２６】
次に、第１のスピーカユニット１８Ａは、第１の無線送信機５５Ａから発信された無線信号を受信して復調・増幅する第１の無線受信機６１Ａと、第１の無線受信機６１Ａの出力に基づいて動作し投射画像に対応する音声を出力する第１のスピーカ６２Ａとを有する。また、第２のスピーカユニット１８Ｂは、第２の無線送信機５５Ｂから発信された無線信号を受信して復調・増幅する第２の無線受信機６１Ｂと、第２の無線受信機６１Ｂの出力に基づいて動作し投射画像に対応する音声を出力する第２のスピーカ６２Ｂとを有する。
【００２７】
以上説明した本実施形態のプロジェクタ１０によれば、光路分岐部材１４がプロジェクタ本体１２からの投射光ＩＬを互いに一部重複する２光路の投射光ＩＬ１，ＩＬ２に分岐するので、各透過型スクリーン１６Ａ，１６Ｂに投射光ＩＬ１，ＩＬ２を投射するために要する空間を比較的狭くすることができる。よって、プロジェクタ１０全体に対して両透過型スクリーン１６Ａ，１６Ｂの占める割合を大きくすることができる。この際、各透過型スクリーン１６Ａ，１６Ｂごとに個別にプロジェクタ本体１２を設ける必要がないので、プロジェクタ１０の製造コストを抑えることができる。さらに、内蔵回路５０に第１及び第２の音声回路５４Ａ，５４Ｂを設けて各透過型スクリーン１６Ａ，１６Ｂに対応する各スピーカユニット１８Ａ，１８Ｂを個別に駆動するので、各透過型スクリーン１６Ａ，１６Ｂを鑑賞する各ユーザは、個別のスピーカ６２Ａ，６２Ｂからの音声を独立して聞くことができる。つまり、各透過型スクリーン１６Ａ，１６Ｂに対面する各ユーザの視聴位置に応じた音声の提供が可能になる。
【００２８】
なお、以上のようなプロジェクタ１０からなる両面テレビは、例えばリビングとダイニングが続いた部屋では、これを中央に配置することで、テレビの設置台数を少なくすることができる。つまり、広い部屋の中央にプロジェクタ１０を効率的に配置して各方向から観察可能にすることができる。
【００２９】
以上の第１実施形態では、光路分岐部材１４を構成する一対のミラー１４Ａ，１４Ｂが直交する状態で交差するように示されているが、両ミラー１４Ａ，１４Ｂの交差角度αは、９０゜に限らず、用途に応じて適宜変更することができる。例えば、交差角度αを９０゜より十分小さくすることにより、光路分岐部材１４の幅を薄くすることができ、両透過型スクリーン１６Ａ，１６Ｂの間隔を狭くすることができるので、結果的にプロジェクタ１０すなわち筐体１１を薄型とすることができる。なお、両ミラー１４Ａ，１４Ｂの交差角度αを９０゜以外にした場合、投射レンズ３８等を利用したアオリ補正によって各透過型スクリーン１６Ａ，１６Ｂに投射される画像の歪みを補正することができる。
【００３０】
また、以上の第１実施形態では、プロジェクタ１０の筐体１１側と、第１及び第２のスピーカユニット１８Ａ，１８Ｂとの間を無線で接続しているが、プロジェクタ１０の筐体１１側と、第１及び第２のスピーカユニット１８Ａ，１８Ｂとの間を有線で接続することもできる。
【００３１】
また、以上の第１実施形態では、光路分岐部材１４を構成するミラー１４Ａ，１４Ｂをハーフミラーとしたが、各ミラー１４Ａ，１４Ｂのうちプロジェクタ本体１２から離れた半分を全反射ミラーとすることもできる。この場合、各透過型スクリーン１６Ａ，１６Ｂに輝度ムラが生じる可能性があるが、両ミラー１４Ａ，１４Ｂを透過する光量損失を回避できる。
【００３２】
〔第２実施形態〕
図３は、第２実施形態のプロジェクタを説明する平面図である。このプロジェクタ２１０は、図１等に示す第１実施形態のプロジェクタ１０を変形したものであり、同一部分には同一の符号を付して重複説明を省略する。また、特に説明しない部分については、第１実施形態のプロジェクタ１０と同様の構造を有するものとする。
【００３３】
プロジェクタ２１０は、光学系部分として、第１及び第２のプロジェクタユニット２１２Ａ，２１２Ｂと、光路分岐部材２１４と、第１及び第２の透過型スクリーン１６Ａ，１６Ｂとを備える。
【００３４】
各プロジェクタユニット２１２Ａ，２１２Ｂは、図１及び図２に示すプロジェクタ本体１２と同様の構造を有するものであり、光路分岐部材２１４を挟むように互いに対向して配置される。
【００３５】
光路分岐部材２１４は、光路分岐手段であり、プロジェクタ本体１２に対してそれぞれ傾いた状態でＸ字状に交差して配置される一対のダイクロイックミラー２１４Ａ，２１４Ｂを有する。第１のダイクロイックミラー２１４Ａは、赤色光を反射して青及び緑色光を透過させる特性を有し、第２のダイクロイックミラー２１４Ｂは、青及び緑色光を反射して赤色光を透過させる特性を有する。
【００３６】
第１のプロジェクタユニット２１２Ａから射出された投射光ＩＬ１のうち赤色光ＬＲ１は、第２のダイクロイックミラー２１４Ｂを透過するとともに第１のダイクロイックミラー２１４Ａで反射されて第１の透過型スクリーン１６Ａに入射する。一方、第１のプロジェクタユニット２１２Ａから射出された投射光ＩＬのうち緑色光ＬＧ１及び青色光ＬＢ１は、第１のダイクロイックミラー２１４Ａを透過するとともに第２のダイクロイックミラー２１４Ｂで反射されて第２の透過型スクリーン１６Ｂに入射する。
【００３７】
同様にして、第２のプロジェクタユニット２１２Ｂから射出された投射光ＩＬ２のうち赤色光ＬＲ２は、第２のダイクロイックミラー２１４Ｂを透過するとともに第１のダイクロイックミラー２１４Ａで反射されて第２の透過型スクリーン１６Ｂに入射する。一方、第２のプロジェクタユニット２１２Ｂから射出された投射光ＩＬ２のうち緑色光ＬＧ２及び青色光ＬＢ２は、第１のダイクロイックミラー２１４Ａを透過するとともに第２のダイクロイックミラー２１４Ｂで反射されて第１の透過型スクリーン１６Ａに入射する。
【００３８】
つまり、第１の透過型スクリーン１６Ａには、第１のプロジェクタユニット２１２Ａからの赤色光ＬＲ１と、第２のプロジェクタユニット２１２Ｂからの緑色光ＬＧ２及び青色光ＬＢ２とが入射してカラー画像を形成する。また、第２の透過型スクリーン１６Ｂには、第１のプロジェクタユニット２１２Ａからの緑色光ＬＧ１及び青色光ＬＢ１と、第２のプロジェクタユニット２１２Ｂからの赤色光ＬＲ２とが入射してカラー画像を形成する。
【００３９】
以上の第２実施形態では、光路分岐部材２１４を構成する一対のダイクロイックミラー２１４Ａ，２１４Ｂが直交する状態で交差するように示されているが、両ダイクロイックミラー２１４Ａ，２１４Ｂの交差角度は、９０゜に限らず、用途に応じて適宜変更することができる。
【００４０】
〔第３実施形態〕
図４は、第３実施形態のプロジェクタを説明する平面図である。このプロジェクタ３１０は、図１等に示す第１実施形態のプロジェクタ１０を変形したものであり、特に説明しない部分については、第１実施形態のプロジェクタ１０と同様の構造を有するものとする。
【００４１】
プロジェクタ３１０は、光学系部分として、プロジェクタ本体３１２と、光路分岐部材３１４と、第１及び第２の透過型スクリーン１６Ａ，１６Ｂとを備える。
【００４２】
プロジェクタ本体３１２は、左右に２画像を投影することができるようになっている。つまり、プロジェクタ本体３１２に設けた光変調部３３５を構成する各色の液晶ライトバルブは、表示領域が中央で２分割されており、一方の表示領域が第１の透過型スクリーン１６Ａ用となっており、他方の表示領域が第２の透過型スクリーン１６Ｂ用となっている。なお、プロジェクタ本体３１２の投射レンズ３８からは、投射光として円偏光が射出される。
【００４３】
光路分岐部材３１４は、偏光素子を含む屋根型の光路分岐手段であり、プロジェクタ本体３１２に対してそれぞれ傾いた状態で対向するとともに、プロジェクタ本体３１２から離間するに従って間隔が互いに狭くなるようにハ字状に配置される一対の平板状反射部材３１４Ａ，３１４Ｂを有する。各平板状反射部材３１４Ａ，３１４Ｂは、例えばＳ偏光を反射する反射型偏光板であり、その内側面に１／４波長板３１５Ａ，３１５Ｂがそれぞれ貼り付けられている。各１／４波長板３１５Ａ，３１５Ｂは、通過光の偏光状態を変化させる偏光状態調節部材であり、各平板状反射部材３１４Ａ，３１４Ｂに入射する投射光ＩＬＲ，ＩＬＬを円偏光から例えばＳ偏光に変換する。また、各１／４波長板３１５Ａ，３１５Ｂは、各平板状反射部材３１４Ａ，３１４Ｂで反射された投射光ＩＬＲ，ＩＬＬをＳ偏光から円偏光に変換する。
【００４４】
プロジェクタ本体３１２から射出された片側（右側）の投射光ＩＬＲは、右側の平板状反射部材３１４Ａに入射する際に１／４波長板３１５ＡでＳ偏光に変換され、平板状反射部材３１４Ａで反射される。平板状反射部材３１４Ａで反射された投射光ＩＬＲは、左側の平板状反射部材３１４Ｂに向けて折り曲げられ、１／４波長板３１５Ａを通過する際に円偏光にされる。左側の平板状反射部材３１４Ｂに入射する投射光ＩＬＲは、次の１／４波長板３１５ＢでＰ偏光に変換され、平板状反射部材３１４Ｂを透過する。つまり、プロジェクタ本体３１２からの片側の投射光ＩＬＲは、一対の平板状反射部材３１４Ａ，３１４Ｂを経て第１の透過型スクリーン１６Ａに入射する。
【００４５】
一方、プロジェクタ本体３１２から射出された片側（左側）の投射光ＩＬＬは、左側の平板状反射部材３１４Ｂに入射する際に１／４波長板３１５ＢでＳ偏光に変換され、平板状反射部材３１４Ｂで反射される。平板状反射部材３１４Ｂで反射された投射光ＩＬＬは、右側の平板状反射部材３１４Ａに向けて折り曲げられ、次の１／４波長板３１５Ｂを通過する際に円偏光にされる。右側の平板状反射部材３１４Ａに入射する投射光ＩＬＬは、１／４波長板３１５ＡでＰ偏光に変換され、平板状反射部材３１４Ａを透過する。つまり、プロジェクタ本体３１２からの片側の投射光ＩＬＬは、一対の平板状反射部材３１４Ａ，３１４Ｂを経て第２の透過型スクリーン１６Ｂに入射する。
【００４６】
なお、上記第３実施形態のプロジェクタ３１０の場合、光変調部３３５を構成する各色の液晶ライトバルブの表示領域が中央で２分割されているので、それぞれの表示領域を独立して制御することにより、第１及び第２の透過型スクリーン１６Ａ，１６Ｂに別個の画像を表示させることができる。つまり、プロジェクタ３１０の前後のユーザは、別の番組を視聴することができる。
【００４７】
以上の第３実施形態では、光路分岐部材３１４を構成する一対の平板状反射部材３１４Ａ，３１４Ｂが適当な角度で交差するように示されているが、両平板状反射部材３１４Ａ，３１４Ｂの交差角度は、用途に応じて適宜変更することができる。
【００４８】
〔第４実施形態〕
図５は、第４実施形態のプロジェクタを説明する平面図である。このプロジェクタ４１０は、図４に示す第３実施形態のプロジェクタ３１０を変形したものであり、特に説明しない部分については、第３実施形態のプロジェクタ３１０と同様の構造を有するものとする。
【００４９】
プロジェクタ４１０は、光学系部分として、プロジェクタ本体３１２と、光路分岐部材４１４と、第１及び第２の透過型スクリーン１６Ａ，１６Ｂとを備える。
【００５０】
プロジェクタ本体３１２は、左右に２画像を投影することができるようになっている。なお、プロジェクタ本体３１２の投射レンズ３８からは、投射光として例えばＳ偏光が射出される。
【００５１】
光路分岐部材４１４は、光路分岐手段であり、プロジェクタ本体３１２から離間するに従って間隔が互いに狭くなるようにハ字状に配置される一対の平板状反射部材３１４Ａ，３１４Ｂと、両平板状反射部材３１４Ａ，３１４Ｂの間に配置される１／２波長板４１５とを有する。各平板状反射部材３１４Ａ，３１４Ｂは、例えばＳ偏光を反射する反射型偏光板である。また、１／２波長板４１５は、通過光の偏光状態を変化させる偏光状態調節部材であり、各平板状反射部材３１４Ａ，３１４Ｂで反射された投射光ＩＬＲ，ＩＬＬをＳ偏光からＰ偏光に変換する。
【００５２】
プロジェクタ本体３１２から射出された投射光ＩＬＲは、右側の平板状反射部材３１４Ａで反射され、左側の平板状反射部材３１４Ｂに向けて折り曲げられ、１／２波長板４１５を通過する際にＰ偏光にされる。１／２波長板４１５を通過して左側の平板状反射部材３１４Ｂに入射する投射光ＩＬＲは、平板状反射部材３１４Ｂを透過する。つまり、プロジェクタ本体３１２からの投射光ＩＬＲは、平板状反射部材３１４Ａで反射され、平板状反射部材３１４Ｂを通過して第１の透過型スクリーン１６Ａに入射する。
【００５３】
プロジェクタ本体３１２から射出された投射光ＩＬＬは、左側の平板状反射部材３１４Ｂで反射され、右側の平板状反射部材３１４Ａに向けて折り曲げられ、１／２波長板４１５を通過する際にＰ偏光にされる。１／２波長板４１５を通過して右側の平板状反射部材３１４Ａに入射する投射光ＩＬＬは、平板状反射部材３１４Ａを透過する。つまり、プロジェクタ本体３１２からの投射光ＩＬＬは、平板状反射部材３１４Ｂで反射され、平板状反射部材３１４Ａを通過して第２の透過型スクリーン１６Ｂに入射する。
【００５４】
以上の第４実施形態では、光路分岐部材４１４を構成する一対の平板状反射部材３１４Ａ，３１４Ｂが適当な角度で交差するように示されているが、両平板状反射部材３１４Ａ，３１４Ｂの交差角度は、用途に応じて適宜変更することができる。
【００５５】
また、以上の第４実施形態では、プロジェクタ本体３１２の投射レンズ３８から例えばＳ偏光を射出させているが、Ｐ偏光を射出させることもできる。この場合、両平板状反射部材３１４Ａ，３１４Ｂは、Ｐ偏光を反射する反射型偏光板とする。
【００５６】
また、以上の第１〜第４実施形態では、第１及び第２の透過型スクリーン１６Ａ，１６Ｂを平行に配置しているが、ミラー１４Ａ，１４Ｂの角度調節等によって、両透過型スクリーン１６Ａ，１６Ｂを適当な角度方向に向けることができる。
【図面の簡単な説明】
【００５７】
【図１】第１実施形態に係るプロジェクタの構造を説明する図である。
【図２】図１に示すプロジェクタの内部回路構造等を説明するブロック図である。
【図３】第２実施形態に係るプロジェクタの構造を説明する図である。
【図４】第３施形態に係るプロジェクタの構造を説明する図である。
【図５】第４施形態に係るプロジェクタの構造を説明する図である。
【符号の説明】
【００５８】
１０…プロジェクタ、  １１…筐体、  １２…プロジェクタ本体、  １４…光路分岐部材、  １４Ａ，１４Ｂ…ミラー、  １６Ａ，１６Ｂ…透過型スクリーン、  １８Ａ，１８Ｂ…スピーカユニット、  ３１…光源装置、  ３３…色分離光学系、  ３５…光変調部、  ３５ａ，３５ｂ，３５ｃ…液晶ライトバルブ、  ３７…クロスダイクロイックプリズム、  ３８…投射レンズ、  ５０…内蔵回路、  ５１…テレビ受信機、  ５２…画像処理回路、  ５３…パネル駆動部、  ５４Ａ，５４Ｂ…音声回路、  ５５Ａ，５５Ｂ…無線送信器、  ６１Ａ，６１Ｂ…無線受信機、  ６２Ａ，６２Ｂ…スピーカ、  ７１Ａ，７１Ｂ…ヘッドホン、  ２１４…光路分岐部材、  ２１４Ａ，２１４Ｂ…ダイクロイックミラー、  ３１４…光路分岐部材、  ３１４Ａ，３１４Ｂ…平板状反射部材、  ３１５Ａ，３１５Ｂ…波長板、  ４１４…光路分岐部材、  ４１５…波長板
【図１】
2006301244.tif 000003
【図２】
2006301244.tif 000004
【図３】
2006301244.tif 000005
【図４】
2006301244.tif 000006
【図５】
2006301244.tif 000007